(57)【要約】【課題】  レーザ光の外部への漏洩を防止することができると共にケーブル布設を容易に行うことができる光ＤＶＩケーブル及び光信号伝送装置を得る。【解決手段】  電源の供給を受信側において行い、受信側コネクタ４２から送信側コネクタ３２に向かう経路で送信側コネクタ３２及び受信側コネクタ４２それぞれに組み込まれた回路に電源を供給する。これにより、例えば、送信側インタフェースユニット３０と光ケーブルユニット５０又は受信側インタフェースユニット４０と光ケーブルユニット５０との間の離脱時や装着手順の誤りがあってもレーザ光が外部に漏洩することがなく安全性を確保することができる。また、送信側インタフェースユニット３０、受信側インタフェースユニット４０及び光ケーブルユニット５０の３つの部分で構成し、光ケーブルユニット５０にはＤＶＩコネクタより小型のコネクタ５２を取り付ける。【選択図】      図３
2006310197.tif 000002
【特許請求の範囲】
【請求項１】
レーザ発光素子ユニットを備え、入力された信号を光信号に変換して送信する送信側インタフェースユニットと、前記送信側インタフェースユニットから送信された光信号を受信する受信側インタフェースユニットとを備え、前記送信側インタフェースユニットと前記受信側インタフェースユニットとをメタル線を含むケーブルで接続した光ＤＶＩケーブルであって、
前記受信側インタフェースユニットに電源端子を設け、該電源端子より前記ケーブル中の前記メタル線を介して前記送信側インタフェースユニットのレーザ発光素子ユニットに電源の供給を行うことを特徴とする光ＤＶＩケーブル。
【請求項２】
レーザ発光素子ユニットを備え、入力された信号を光信号に変換して送信する送信側インタフェースユニットと、前記送信側インタフェースユニットから送信された光信号を受信する受信側インタフェースユニットとを備え、前記送信側インタフェースユニットと前記受信側インタフェースユニットとをメタル線を含むケーブルで接続した光ＤＶＩケーブルであって、
前記送信側インタフェースユニットに電源端子を備え、該電源端子より前記ケーブル中の前記メタル線を介して前記受信側インタフェースユニットに電源の供給を行い、さらに前記受信側インタフェースユニットから折り返して前記送信側インタフェースユニットのレーザ発光素子ユニットに電源の供給を行うことを特徴とする光ＤＶＩケーブル。
【請求項３】
前記ケーブルが分離接続部を有し、該分離接続部がコネクタにより接離可能に設けられていることを特徴とする請求項１または請求項２に記載の光ＤＶＩケーブル。
【請求項４】
請求項１〜請求項３のいずれかに記載の光ＤＶＩケーブルと、
前記光ＤＶＩケーブルに電源を供給する電源供給手段と、
を備える光信号伝送装置。
【請求項５】
入力された信号をレーザ発光素子ユニットにて光信号に変換して送信する送信側インタフェースユニットと、前記送信側インタフェースユニットから送信された光信号を受光素子ユニットで受信する受信側インタフェースユニットとを備え、前記送信側インタフェースユニットと前記受信側インタフェースユニットとをメタル線を含むケーブルで接続した光ＤＶＩケーブルを備え、
前記送信側インタフェースから前記ケーブル中の前記メタル線を介して前記受信側インタフェースユニットが接続される受信機器に電力を供給し、さらに前記受信機器に供給した電力を折り返し回路を介して前記受信側インタフェースユニット内の前記受光素子ユニット及び前記送信側インタフェースユニット内の前記レーザ発光素子ユニットに供給することを特徴とする光信号伝送システム。
【請求項６】
入力された信号の一部をレーザ発光素子ユニットにて光信号に変換して送信する送信側インタフェースユニットと、前記送信側インタフェースユニットから送信された光信号を受光素子ユニットで受信する受信側インタフェースユニットとを備え、前記送信側インタフェースユニットと前記受信側インタフェースユニットとを光ファイバとメタル線を含むケーブルで接続した光ＤＶＩケーブルを用いて光信号を伝送する光信号伝送方法であって、
電源を前記受信側インタフェースユニットから前記ケーブル中の前記メタル線を介して前記送信側インタフェースユニット内の前記レーザ発光素子ユニットに供給して前記レーザ発光素子ユニットの発光した光信号を前記ケーブル中の前記光ファイバを介して伝送し、前記受信側インタフェースユニット内の前記受信素子ユニットで受けることを特徴とする光信号伝送方法。
【発明の詳細な説明】
【技術分野】
【０００１】
本発明は、光ＤＶＩケーブル及び該光ＤＶＩケーブルを用いた光信号伝送装置に関する。
【背景技術】
【０００２】
従来、ＤＶＩ(Digital Visual Interface)伝送インタフェース規格による光ＤＶＩケーブルが市販されている（例えば、非特許文献１参照）。
図６は、従来の光ＤＶＩケーブルの概略構成を示すブロック図である。
この図に示す光ＤＶＩケーブルは、送信モジュール(ＦＯＪＬ−ＤＶ２（Ｔｘ）)と、受信モジュール(ＦＯＪＬ−ＤＶ２（Ｒｘ）)と、光電気複合ケーブル（以下、複合ケーブルと言う）とから構成される。送信モジュールには、ホスト側から入力されるデジタルビデオ信号を光信号に変換する電気／光変換手段が組み込まれており、受信モジュールには、送信モジュールから伝送されてきた光信号を電気信号に変換する光／電気変換手段が組み込まれている。
送信モジュールの電気／光変換手段としては主にレーザダイオードが用いられ、受信モジュールの光／電気変換手段としては主にフォトダイオードが用いられる。
送信モジュールと受信モジュールには、それぞれ専用のＡＣ／ＤＣアダプタによって電源が供給されるようになっている。なお、ＡＣ／ＤＣアダプタは、商用電源を送受信双方のコネクタ内の回路を動作させるための直流電圧に変換するものである。
【０００３】
複合ケーブルは、複数本の光ファイバと複数本のメタル線を含み、各光ファイバは送信モジュールの各レーザダイオードから放射されるレーザ信号を受信モジュールの各フォトダイオードへ伝送する。メタル線には、電源線、接地線及びＤＤＣ信号線がある。ＤＤＣ信号線は、モニタ側の情報をホスト側に伝達するために使用される。また、ＤＤＣ信号線により伝送されるＤＤＣ信号には、ＤＤＣ(Data Display Channel)データ、ＤＤＣクロック及び連結状態をチェックするＨＰＤ(Hot Plug Detect)がある。
【非特許文献１】日本航空電子工業株式会社 カタログ2003.7 MB-11030-1DVI.pdf
【発明の開示】
【発明が解決しようとする課題】
【０００４】
ところで、従来の光ＤＶＩケーブルにおいては、送信モジュールと受信モジュールのそれぞれに専用のＡＣ／ＤＣアダプタによって電源の供給を行うようにしているため、例えば複合ケーブルの途中部分に着脱自在なコネクタを設けるような場合、該コネクタの離脱時や装着手順の誤りによってレーザ光が外部に漏洩することがあるという問題がある。あるいは、途中部分がコネクタで分離されないような場合であっても複合ケーブルが事故などで切断されてレーザ光が漏洩する場合もある。因みにデータ伝送用に使用されるレーザは、工業加工用に使用されるレーザのような人体への危険性はないが、高輝度であることから直接目に入るようなことは好ましいことではない。
【０００５】
また、光ＤＶＩケーブルに使用される送信モジュール及び受信モジュールは規格化されたものであり、その形状が大型であることから、ケーブル布設時に通常の配管内への挿通が困難であるという問題もある。因みに、非特許文献１にも示されているように、光ＤＶＩケーブルに使用される送信モジュールと受信モジュールそれぞれの形状は、幅３９．４ｍｍ、厚さ１５．１ｍｍ、奥行き（本体部分）５７ｍｍとなっている。
【０００６】
この発明は、係る事情に鑑みてなされたものであり、レーザ光の外部への漏洩を防止することができると共に、ケーブル布設を容易に行うことができる光ＤＶＩケーブル及び光信号伝送装置を提供することを目的とする。
【課題を解決するための手段】
【０００７】
上記目的は下記構成により達成される。
（１）  レーザ発光素子ユニットを備え、入力された信号を光信号に変換して送信する送信側インタフェースユニットと、前記送信側インタフェースユニットから送信された光信号を受信する受信側インタフェースユニットとを備え、前記送信側インタフェースユニットと前記受信側インタフェースユニットとをメタル線を含むケーブルで接続した光ＤＶＩケーブルであって、前記受信側インタフェースユニットに電源端子を設け、該電源端子より前記ケーブル中の前記メタル線を介して前記送信側インタフェースユニットのレーザ発光素子ユニットに電源の供給を行うことを特徴とする。
【０００８】
（２）  レーザ発光素子ユニットを備え、入力された信号を光信号に変換して送信する送信側インタフェースユニットと、前記送信側インタフェースユニットから送信された光信号を受信する受信側インタフェースユニットとを備え、前記送信側インタフェースユニットと前記受信側インタフェースユニットとをメタル線を含むケーブルで接続した光ＤＶＩケーブルであって、前記送信側インタフェースユニットに電源端子を備え、該電源端子より前記ケーブル中の前記メタル線を介して前記受信側インタフェースユニットに電源の供給を行い、さらに前記受信側インタフェースユニットから折り返して前記送信側インタフェースユニットのレーザ発光素子ユニットに電源の供給を行うことを特徴とする。
【０００９】
（３）  前記ケーブルが分離接続部を有し、該分離接続部がコネクタにより接離可能に設けられていることを特徴とする。
【００１０】
（４）  光信号伝送装置であって、上記（１）〜（２）のいずれかに記載の光ＤＶＩケーブルと、前記光ＤＶＩケーブルに電源を供給する電源供給手段と、を備える。
【００１１】
（５）  光信号伝送システムであって、入力された信号の一部をレーザ発光素子ユニットにて光信号に変換して送信する送信側インタフェースユニットと、前記送信側インタフェースユニットから送信された光信号を受光素子ユニットで受信する受信側インタフェースユニットとを備え、前記送信側インタフェースユニットと前記受信側インタフェースユニットとをメタル線を含むケーブルで接続した光ＤＶＩケーブルを備え、前記送信側インタフェースから前記ケーブル中の前記メタル線を介して前記受信側インタフェースユニットが接続される受信機器に電力を供給し、さらに前記受信機器に供給した電力を折り返し回路を介して前記受信側インタフェースユニット内の前記受光素子ユニット及び前記送信側インタフェースユニット内の前記レーザ発光素子ユニットに供給することを特徴とする。
【００１２】
（６）  入力された信号の一部をレーザ発光素子ユニットにて光信号に変換して送信する送信側インタフェースユニットと、前記送信側インタフェースユニットから送信された光信号を受光素子ユニットで受信する受信側インタフェースユニットとを備え、前記送信側インタフェースユニットと前記受信側インタフェースユニットとを光ファイバとメタル線を含むケーブルで接続した光ＤＶＩケーブルを用いて光信号を伝送する光信号伝送方法であって、電源を前記受信側インタフェースユニットから前記ケーブル中の前記メタル線を介して前記送信側インタフェースユニット内の前記レーザ発光素子ユニットに供給して前記レーザ発光素子ユニットの発光した光信号を前記ケーブル中の前記光ファイバを介して伝送し、前記受信側インタフェースユニット内の前記受信素子ユニットで受けることを特徴とする。
【発明の効果】
【００１３】
上記（１）に記載の光ＤＶＩケーブルでは、送信側インタフェースユニットのレーザ発光素子ユニットへは受信側インタフェースユニットを介して電源が供給されるので、レーザ発光素子ユニットから発せられるレーザ光は、受信側インタフェースユニットから直に出力されたり、あるいは、送信側インタフェースユニットと受信側インタフェースユニットとの間で例えばケーブル切断などの事故があっても、外部に漏洩することがなく安全性を確保することができる。
【００１４】
上記（２）に記載の光ＤＶＩケーブルでは、送信側インタフェースユニットに供給される電源は受信側インタフェースユニットを介して送信側インタフェースユニットのレーザ発光素子ユニットに供給されているので、送信側インタフェースユニットと受信側インタフェースユニットとの間で例えばケーブル切断などの事故があっても、レーザ光が外部に漏洩することがなく安全性を確保することができる。
【００１５】
上記（３）に記載の光ＤＶＩケーブルでは、前記ケーブルの途中がコネクタにより接離可能な分離接続部を形成しているため、送信側インタフェースユニットと受信側インタフェースユニットとの間を任意長のケーブルで接続し且つ使用するコネクタをケーブル布設時に通す配管の径よりも小さいものを使用することで、ケーブル布設を極めて容易に行うことができる。反面、送信側インタフェースユニットと受信側インタフェースユニットとの間で不測の離脱や装着手順の誤りがあってもレーザ光が外部に漏洩することがなく安全性を確保することができる。
【００１６】
上記（４）に記載の光信号伝送装置では、送信側インタフェースユニットと受信側インタフェースユニットとが接続状態にないと、受信側インタフェースユニット又は送信側インタフェースユニットへは電源が供給されないので、送信側インタフェースユニットのレーザ発光素子ユニットにも電源が供給されないため、ケーブルが切断されたり、あるいは、送信側インタフェースユニットと受信側インタフェースユニットとの間の離脱時や装着手順の誤りがあってもレーザ光が外部に漏洩することがなく安全性を確保することができる。
【００１７】
上記（５）に記載の光信号伝送システムでは、送信側インタフェースユニットと受信側インタフェースユニットとが接続状態にないと、受信側インタフェースユニットの受光素子ユニット及び送信側インタフェースユニットのレーザ発光素子ユニットへは電源が供給されないので、送信側インタフェースユニットと受信側インタフェースユニットとの間のケーブル切断や、コネクタ接続形態でのコネクタ離脱時や装着手順の誤りがあってもレーザ光が外部に漏洩することがなく安全性を確保することができる。
また、受信機器側で折り返し回路の状態を確認することで、コネクタ接続の有無を判定することができる。また、送信側インタフェースユニットと受信側インタフェースユニットとの間を任意長のケーブルで接続し且つ使用するコネクタをケーブル布設時に通す配管の径よりも小さいものを使用することで、ケーブル布設を極めて容易に行うことができる。
【００１８】
上記（６）に記載の光信号伝送方法では、送信側インタフェースユニットと受信側インタフェースユニットとが接続状態にないと、受信側インタフェースユニットの受光素子ユニット及び送信側インタフェースユニットのレーザ発光素子ユニットへは電源が供給されないので、送信側インタフェースユニットと受信側インタフェースユニットとの間のケーブル切断や、コネクタ接続形態でのコネクタ離脱時や装着手順の誤りがあってもレーザ光が外部に漏洩することがなく安全性を確保することができる。
また、送信側インタフェースユニットと受信側インタフェースユニットとの間を任意長のケーブルで接続し且つ使用するコネクタをケーブル布設時に通す配管の径よりも小さいものを使用することで、ケーブル布設を極めて容易に行うことができる。
【発明を実施するための最良の形態】
【００１９】
以下、本発明を実施するための好適な実施の形態について、図面を参照して詳細に説明する。
図１は、本発明の第１の実施の形態に係る光ＤＶＩケーブルの外観を示す斜視図である。図２は、図１の光ＤＶＩケーブルに用いられる複合ケーブルの縦断面図である。また、図３は、図１の光ＤＶＩケーブルを含む光信号伝送システムの概略構成を示すブロック図である。
【００２０】
図１において、本実施の形態に係る光ＤＶＩケーブル１００は、送信側インタフェースユニット３０と、受信側インタフェースユニット４０と、光ケーブルユニット５０とから構成される。なお、送信側インタフェースユニット３０は従来の送信モジュールに相当し、受信側インタフェースユニット４０は従来の受信モジュールに相当する。
【００２１】
送信側インタフェースユニット３０は、０．１ｍ〜０．４ｍ程度の長さの複合ケーブル３１と、複合ケーブル３１の一端に接続されるＤＶＩ(Digital Visual Interface)規格に従うＤＶＩコネクタ（以下、送信側コネクタと言う）３２と、複合ケーブル３１の他端に接続され送信側コネクタ３２より小型の雄型コネクタ３３とから構成される。受信側インタフェースユニット４０は、０．１ｍ〜０．４ｍ程度の長さの複合ケーブル４１と、複合ケーブル４１の一端に接続される受信側コネクタ４２と、複合ケーブル４１の他端に接続され受信側コネクタ４２より小型の雄型コネクタ４３とから構成される。
【００２２】
光ケーブルユニット５０は、任意長の複合ケーブル５１と、複合ケーブル５１の両端それぞれに接続される小型の雌型コネクタ５２とから構成され、送信側インタフェースユニット３０と受信側インタフェースユニット４０とを中継する。なお、複合ケーブル３１の雄型コネクタ３３と光ケーブルユニツト５０の雌型コネクタ５２及び、複合ケーブル４１の雄型コネクタ４３と光ケーブルユニツト５０の雌型コネクタ５２は、本明細書で言う光ＤＶＩケーブル１００の分離接続部を形成するものである。
【００２３】
図２に示すように、複合ケーブル３１、４１及び５１は、例えば４本の光ファイバ１２と４本のメタル線１４〜１７が一括して収納されたものである。メタル線１４〜１７は、電源線１４及び接地線１５と、ＤＤＣ用のシールド線１６及び１７で構成される。なお、ケーブ長が短い場合はＤＤＣ用にシールド電線を用いなくても良いが、最大１００ｋＨｚでの使用が考えられるので、信号減衰を抑制するためにシールド電線を用いるのが好ましい。
【００２４】
図３において、送信側コネクタ３２は、デジタルビデオ信号が入力されるコンピュータ等のホスト装置１に接続される。受信側コネクタ４２は、デジタルビデオ信号を画像表示する液晶表示、プラズマ表示、或いはプロジェクタ等の各種ビデオ出力表示装置（受信機器）２に接続される。送信側コネクタ３２及び受信側コネクタ４２はＤＶＩ方式を満たすように設計されたコネクタで、デジタルビデオ信号伝送用の端子（Ｒ、Ｇ、Ｂ、Ｃｌｏｃｋ）の他に、＋５Ｖ電源端子、受信側のビデオ出力表示装置２の情報を送信側のホスト装置１に伝達するＤＤＣ Ｃｌｏｃｋ端子、ＤＤＣ Ｄａｔａ端子並びにＨＰＤ端子を備えている。
【００２５】
送信側コネクタ３２は、ホスト装置１からのデジタルビデオ信号を電気信号から光信号に変換して送出するためのレーザダイオードが組み込まれたレーザ発光素子ユニット７及びそのレーザ発光素子ユニット７を駆動する駆動回路装置８と、ホスト装置１にＨＰＤ信号を与えるための抵抗素子１７とを備えている。受信側コネクタ４２は、光信号で受信したデジタルビデオ信号を電気信号に復元するためのフォトダイオードが組み込まれた受光素子ユニット９及びその受光素子ユニット９の出力信号を増幅する増幅回路装置１０と、受信側に設けられたＡＣ／ＤＣアダプタ５の直流電源を送信側コネクタ３２と受信側コネクタ４２それぞれの動作に必要とする電圧に変換するＤＣ／ＤＣコンバータ６と、ＤＣ／ＤＣコンバータ６にＡＣ／ＤＣアダプタ５の直流電源を入力するための電源端子４とを備えている。
【００２６】
複合ケーブル３１、４１及び５１には、上述したようにデジタルビデオ信号を伝送する４本の光ファイバ１２と、電源線１４と接地線１５の２本のメタル線と、ＤＤＣ信号用のメタル線１６及び１７とが一体構造として収納されている。
複合ケーブル３１、４１及び５１に共通する電源線１４は、その一端が受信側コネクタ４２の＋５電源端子に接続されると共に受信側コネクタ４２に内蔵されたＤＣ／ＤＣコンバータ６の出力端に接続され、他端が送信側コネクタ３２内の駆動回路装置８の電源入力端子に接続されると共に抵抗素子１７を介して送信側コネクタ３２のＨＰＤ端子に接続される。
【００２７】
複合ケーブル３１、４１及び５１に共通する接地線１５は、その一端が受信側コネクタ４２のＧｒｏｕｎｄ端子に接続され、他端が送信側コネクタ３２のＧｒｏｕｎｄ端子に接続される。
【００２８】
複合ケーブル３１、４１及び５１に共通するＤＤＣ信号用のメタル線１６は、その一端が受信側コネクタ４２のＤＤＣ Ｄａｔａ端子に接続され、他端が送信側コネクタ３２のＤＤＣ Ｄａｔａ端子に接続される。
複合ケーブル３１、４１及び５１に共通するＤＤＣ信号用のメタル線１７は、その一端が受信側コネクタ４２のＤＤＣ Ｃｌｏｃｋ端子に接続され、他端が送信側コネクタ３２のＤＤＣ Ｃｌｏｃｋ端子に接続される。
【００２９】
送信側コネクタ３２をホスト装置１に接続することで送信側コネクタ３２のＲ、Ｇ、Ｂ、Ｃｌｏｃｋの各端子がホスト装置１のＲ、Ｇ、Ｂ、Ｃｌｏｃｋの各端子に接続され、また送信側コネクタ３２のＨＰＤ端子、Ｇｒｏｕｎｄ端子、ＤＤＣ Ｄａｔａ端子、ＤＤＣ Ｃｌｏｃｋ端子がホスト装置１のＨＰＤ端子、Ｇｒｏｕｎｄ端子、ＤＤＣ Ｄａｔａ端子、ＤＤＣ Ｃｌｏｃｋ端子にそれぞれ接続される。
【００３０】
また、受信側コネクタ４２をビデオ出力表示装置２に接続することで受信側コネクタ４２のＲ、Ｇ、Ｂ、Ｃｌｏｃｋの各端子がビデオ出力表示装置２のＲ、Ｇ、Ｂ、Ｃｌｏｃｋの各端子に接続され、また受信側コネクタ４２の＋５Ｖ電源端子、Ｇｒｏｕｎｄ端子、ＤＤＣ Ｄａｔａ端子、ＤＤＣ Ｃｌｏｃｋ端子がビデオ出力表示装置２の＋５Ｖ電源端子、Ｇｒｏｕｎｄ端子、ＤＤＣ Ｄａｔａ端子、ＤＤＣ Ｃｌｏｃｋ端子にそれぞれ接続される。
【００３１】
なお、ＨＰＤ信号は、電源線１４から抵抗素子１７を介してホスト装置１に取り込まれる。また、ビデオ出力表示装置２には、例えば画像解像度の情報、リフレッシュレート等の情報が書き込まれる不揮発性メモリの一種であるＥＥＰＲＯＭ(Electronically Erasable and Programmable Read Only Memory)が搭載されており、その駆動には、電源線１４を通じて給電される電源を利用する。
また、光ＤＶＩケーブル１００とＡＣ／ＤＣアダプタ５は光信号伝送装置を構成し、また、その光信号伝送装置とホスト装置１とビデオ出力表示装置２は光信号伝送システムを構成する。
【００３２】
本実施の形態は以上のような構成を採り、特に、受信側のみで行い、受信側コネクタ４２から送信側コネクタ３２に向かう経路で送信側コネクタ３２及び受信側コネクタ４２それぞれに組み込まれた回路（レーザ発光素子ユニット７、駆動回路装置８、受光素子ユニット９、増幅回路装置１０）に電源を供給する。受信側コネクタ４２にはＤＣ／ＤＣコンバータ６を内蔵し、送信側コネクタ３２及び受信側コネクタ４２の動作に必要とする電圧の直流電源を得ている。
【００３３】
これにより、送信側インタフェースユニット３０と光ケーブルユニット５０との間のコネクタ３３及び５２の接続又は受信側インタフェースユニット４０と光ケーブルユニット５０との間のコネクタ４３及び５２の接続又は受信側コネクタ４２とビデオ出力表示装置２との接続のいずれか１つでも正常に行われない場合には送信側コネクタ３２及び受信側コネクタ４２それぞれの組み込み回路には電源が供給されないので、送信側インタフェースユニット３０と光ケーブルユニット５０又は受信側インタフェースユニット４０と光ケーブルユニット５０との間の離脱時や装着手順の誤りがあってもレーザ光が外部に漏洩することがなく安全性を確保することができる。
【００３４】
なお、本実施の形態では、送信側インタフェースユニット３０、受信側インタフェースユニット４０及びこれらのユニット３０及び４０を中継する光ケーブルユニット５０の３つの部分で構成し、しかも光ケーブルユニット５０にはＤＶＩコネクタより小型のコネクタ５２を取り付けたので、ケーブル布設を光ケーブルユニット５０のみで行うことで細径の配管でも容易に通すことができる。
【００３５】
このように、本実施の形態の光ＤＶＩケーブル１００によれば、電源の供給を受信側において行い、受信側コネクタ４２から送信側コネクタ３２に向かう経路で送信側コネクタ３２及び受信側コネクタ４２それぞれに組み込まれた回路（レーザ発光素子ユニット７、駆動回路装置８、受光素子ユニット９、増幅回路装置１０）に電源を供給するので、送信側インタフェースユニット３０と光ケーブルユニット５０又は受信側インタフェースユニット４０と光ケーブルユニット５０との間の離脱時や装着手順の誤りがあってもレーザ光が外部に漏洩することがなく安全性を確保することができる。
【００３６】
また、送信側インタフェースユニット３０、受信側インタフェースユニット４０及び光ケーブルユニット５０の３つの部分で構成し、光ケーブルユニット５０にはＤＶＩコネクタより小型のコネクタ５２を取り付けたので、ケーブル布設時には細径の配管でも容易に通すことができ、ケーブル布設を極めて容易に行うことができる。
【００３７】
図４は、本発明の第２の実施の形態に係る光ＤＶＩケーブルを含む光信号伝送システムの概略構成を示すブロック図である。
図５は、本実施の形態に係る光ＤＶＩケーブルに用いられる複合ケーブルの縦断面図である。なお、本実施の形態に係る光ＤＶＩケーブルは、電源の供給方法が異なる以外、上述した第１の実施の形態に係る光ＤＶＩケーブルと同様であるので、図３と共通する部分には同一の符号を付ける。また、外観も第１の実施の形態に係る光ＤＶＩケーブルと同様であるので、説明の都合上必要な場合には図１を援用することとする。
【００３８】
送信側コネクタ３２０は、ホスト装置１からのデジタルビデオ信号を電気信号から光信号に変換して送出するためのレーザダイオードが組み込まれたレーザ発光素子ユニット７及びレーザ発光素子ユニット７を駆動する駆動回路装置８と、送信側に設けられたＡＣ／ＤＣアダプタ５の直流電源を送信側コネクタ３２０及び受信側コネクタ４２０の動作に必要とする電圧に変換するＤＣ／ＤＣコンバータ６と、ＤＣ／ＤＣコンバータ６にＡＣ／ＤＣアダプタ５の直流電源を入力するための電源端子４とを備えている。
【００３９】
受信側コネクタ４２０は、光信号で受信したデジタルビデオ信号を電気信号に復元するためのフォトダイオードが組み込まれた受光素子ユニット９及び受光素子ユニット９の出力信号を増幅する増幅回路装置１０を備えている。
【００４０】
図５に示すように、複合ケーブル３１、４１及び５１には、デジタルビデオ信号を伝送する４本の光ファイバ１２と、第１、第２の電源線１３及び１４と接地線１５の３本のメタル線と、ＤＤＣ信号用のメタル線１６及び１７とが、一体構造として収納されている。
【００４１】
複合ケーブル１１、２１及び３１に共通する第１電源線１３は、その一端が送信側コネクタ３２０に内蔵されたＤＣ／ＤＣコンバータ６の出力端に接続され、他端が受信側コネクタ４２０の空き端子に接続される。その空き端子は、受信側コネクタ４２０をビデオ出力表示装置２に接続することで、ビデオ出力表示装置２に内蔵された折り返し回路６０に接続される。
【００４２】
折り返し回路６０は、第１電源線１３を受信側コネクタ４２０に返して受信側コネクタ４２０に接続された複合ケーブル１１、２１及び３１に共通する第２電源線１４に接続する。
【００４３】
複合ケーブル１１、２１及び３１に共通する第２電源線１４は、その一端が送信側コネクタ３２０の駆動回路装置８の＋５Ｖ電源入力端子に接続されると共に抵抗素子１７を介して送信側コネクタ３２０のＨＰＤ端子に接続され、他端が受信側コネクタ４２０の増幅回路装置１０の＋５Ｖ電源入力端子に接続されると共に受信側コネクタ４２０の＋５Ｖ電源端子に接続される。
また、第２電源線１４は、受信側コネクタ４２０がビデオ出力表示装置２に接続されることで、折り返し回路６０によって第１電源線１３に接続される。
【００４４】
複合ケーブル３１、４１及び５１に共通する電源線１５は、その一端が送信側コネクタ３２０のＧｒｏｕｎｄ端子に接続されると共に送信側コネクタ３２０内の駆動回路装置８にＧｒｏｕｎｄ端子に接続され、他端が受信側コネクタ４２０のＧｒｏｕｎｄ端子に接続されると共に受信側コネクタ４２０内の増幅回路装置１０のＧｒｏｕｎｄ端子に接続される。なお、ビデオ出力表示装置２には、例えば画像解像度の情報、リフレッシュレート等の情報が書き込まれる不揮発性メモリの一種であるＥＥＰＲＯＭ(Electronically Erasable and Programmable Read Only Memory)が搭載されており、その駆動には、電源線１３を通じて給電される送信側からの電源を利用する。
【００４５】
複合ケーブル３１、４１及び５１に共通するＤＤＣ信号用のメタル線１６は、その一端が送信側コネクタ３２０のＤＤＣ Ｄａｔａ端子に接続され、他端が受信側コネクタ４２０のＤＤＣ Ｄａｔａ端子に接続される。
【００４６】
複合ケーブル３１、４１及び５１に共通するＤＤＣ信号用のメタル線１７は、その一端が送信側コネクタ３２０のＤＤＣ Ｃｌｏｃｋ端子に接続され、他端が受信側コネクタ４２０のＤＤＣ Ｃｌｏｃｋ端子に接続される。ＨＰＤ信号は、電源線１４から抵抗素子１７を介してホスト装置１に取り込まれる。
【００４７】
なお、光ＤＶＩケーブル２００とＡＣ／ＤＣアダプタ５は光信号伝送装置を構成し、また、その光信号伝送装置とホスト装置１とビデオ出力表示装置２は光信号伝送システムを構成する。
【００４８】
本実施の形態は以上のような構成を採り、特に、送信側コネクタ３２０及び受信側コネクタ４２０それぞれの組み込み回路（レーザ発光素子ユニット７、駆動回路装置８、受光素子ユニット９、増幅回路装置１０）を動作させる電源の供給を送信側から行い、しかも電源の経路を送信側コネクタ３２０→受信側コネクタ４２０→ビデオ出力表示装置３２０→受信側コネクタ４２０→送信側コネクタ３２０と折り返すようにした。
【００４９】
これにより、送信側インタフェースユニット３０と光ケーブルユニット５０との間のコネクタ３３及び５２の接続又は受信側インタフェースユニット４０と光ケーブルユニット５０との間のコネクタ４３及び５２の接続又は受信側コネクタ４２０とビデオ出力表示装置２との接続のいずれか１つでも正常に行われない場合には、送信側コネクタ３２０及び受信側コネクタ４２０それぞれの組み込み回路には電源が供給されないので、送信側インタフェースユニット３０と光ケーブルユニット５０又は受信側インタフェースユニット４０と光ケーブルユニット５０との間の離脱時や装着手順の誤りがあってもレーザ光が外部に漏洩することがなく安全性を確保することができる。
【００５０】
なお、送信側インタフェースユニット３０の雄コネクタ３３と光ケーブルユニット５０の雌コネクタ５２又は受信側インタフェースユニット４０の雄コネクタ４３と光ケーブルユニット５０の雌コネクタ４３の１つでも接続されていなければ、送信側コネクタ３２０及び受信側コネクタ４２０それぞれの組み込み回路には電源が供給されないので、ビデオ出力表示装置２内の折り返し回路６０は必ずしも必要とはしない。しかし、この折り返し回路６０を設けることでビデオ出力表示装置２にてケーブル接続の有無を判定することができ、これによってケーブル接続の有無を表示等でユーザに通知することが可能となる。ユーザはその表示を確認するだけでケーブルの接続状態を一目で確認することができる。
【００５１】
また、本実施の形態では、送信側インタフェースユニット３０、受信側インタフェースユニット４０及びこれらのユニット３０及び４０を中継する光ケーブルユニット５０の３つの部分で構成し、しかも光ケーブルユニット５０にはＤＶＩコネクタより小型のコネクタ５２を取り付けたので、ケーブル布設を光ケーブルユニット５０のみで行うことで細径の配管でも容易に通すことができる。
【００５２】
このように、本実施の形態の光ＤＶＩケーブル２００によれば、電源の供給を送信側のみで行い、送信側コネクタ３２０から受信側コネクタ４２０を経由して送信側コネクタ３２０に至る経路で送信側コネクタ３２０及び受信側コネクタ４２０それぞれに組み込まれた回路に電源を供給するので、送信側インタフェースユニット３０の雄コネクタ３３と光ケーブルユニット５０の雌コネクタ５２又は受信側インタフェースユニット４０の雄コネクタ４３と光ケーブルユニット５０の雌コネクタ５２との間の離脱時や装着手順の誤りがあってもレーザ光が外部に漏洩することがなく安全性を確保することができる。
【００５３】
また、送信側インタフェースユニット３０、受信側インタフェースユニット４０及び光ケーブルユニット５０の３つの部分で構成し、光ケーブルユニット５０にはＤＶＩコネクタより小型のコネクタ５２を取り付けたので、ケーブル布設時には細径の配管でも容易に通すことができ、ケーブル布設を極めて容易に行うことができる。
【００５４】
なお、上記各実施の形態においては、送信側インタフェースユニット３０の複合ケーブル３１と受信側インタフェースユニット４０の複合ケーブル４１の長さをそれぞれ０．１ｍ〜０．４ｍ程度と説明したが、必ずしもその値に限定されるものではなく、それ以上であっても、それ以下であっても良いし、勿論直接接続しても構わない。
【００５５】
また、上記各実施の形態においては、送信側インタフェースユニット３０を送信側コネクタ３２（３２０）を介してホスト装置１に接続するようにしたが、コネクタ接続する以外に直接接続するようにしても構わない。
【００５６】
また、上記各実施の形態ではいずれも、光ＤＶＩケーブル１００は、送信側インタフェースユニット３０、受信側インタフェースユニット４０及びこれらのユニット３０及び４０を中継する光ケーブルユニット５０の３つの部分から構成されて、送信側インタフェースユニット３０と光ケーブルユニット５０又は受信側インタフェースユニット４０と光ケーブルユニット５０との間の離脱時や装着手順の誤りによってレーザ光の外部漏洩を防止できるようにしたものであるが、本発明はこのような構成のみに限定されるものではない。例えば、ケーブルの途中に分離接続部が設けられていない光ＤＶＩケーブルにおいて、ケーブルが不測事故などで切断されたような場合、あるいは、各種受信機器が接続されて受信側インタフェースユニット側から電源が供給されるような場合であっても、レーザ発光ユニットへの電源の供給が停止され、若しくは、行われないので、レーザ光の外部漏洩を防止することができる。
【産業上の利用可能性】
【００５７】
本発明は、レーザ光の外部への漏洩を防止することができると共にケーブル布設を容易に行うことができるといった効果を有し、液晶ディスプレイ等のビデオ出力表示装置とパソコン等のホスト装置とを繋ぐデジタルビデオ信号伝送路として有用である。
【図面の簡単な説明】
【００５８】
【図１】本発明の実施の形態１に係る光ＤＶＩケーブルの外観を示す斜視図である。
【図２】図１の複合ケーブルの縦断面を示す図である。
【図３】図１の光ＤＶＩケーブルを含む光信号伝送システムの概略構成を示すブロック図である。
【図４】本発明の実施の形態２に係る光ＤＶＩケーブルを含む光信号伝送システムの概略構成を示すブロック図である。
【図５】実施の形態２に係る光ＤＶＩケーブルの複合ケーブルの縦断面を示す図である。
【図６】従来の光ＤＶＩケーブルを含む光信号伝送システムの概略構成を示すブロック図である。
【符号の説明】
【００５９】
１  ホスト装置
２  ビデオ出力表示装置
４  電源端子
５  ＡＣ／ＤＣアダプタ
６  ＤＣ／ＤＣコンバータ
７  レーザ発光素子ユニット
８  駆動回路装置
９  受光素子ユニット
１０  増幅回路装置
１２  光ケーブル
１３  第１電源線（メタル線）
１４  第２電源線（メタル線）
１５  接地線
１５、１６  シールド線
３０  送信側インタフェースユニット
３１、４１、５１  複合ケーブル
３２  送信側コネクタ
３３、４３  雄型コネクタ
４０  受信側インタフェースユニット
４２  受信側コネクタ
５２  雌型コネクタ
６０  折り返し回路
【図１】
2006310197.tif 000003
【図２】
2006310197.tif 000004
【図３】
2006310197.tif 000005
【図４】
2006310197.tif 000006
【図５】
2006310197.tif 000007
【図６】
2006310197.tif 000008